(57)【要約】【課題】多数回の光ファイバーケーブルのコネクタプラグの接触摩擦にも十分耐えられる、遮光プレートのアダプタへの取り付け構造を提供する。【解決手段】遮光プレートＡを、少なくとも、水平板１と水平板１の一側端縁から垂下させた板状の遮光板２から形成し、遮光プレートＡの水平板１に貫通孔を穿ち、アダプタＢの一方の開口部６端縁近くの上面に貫通孔４を穿ち、遮光プレートＡの水平板１をアダプタＢの一方の開口部６の上部端縁上に係止して遮光プレートＡの遮光板１をアダプタＢの開口部６内に入れ、遮光プレートＡの貫通孔とアダプタＢ上面の貫通孔４の位置を合わせ、遮光プレートＡ及びアダプタＢの貫通孔４に固定ピン７を圧入してアダプタＢの開口部６に遮光プレートＡを取り付ける構成とした。【選択図】図１
0003134815.tif 000002
【実用新案登録請求の範囲】
【請求項１】
横長の角筒状のアダプタを使用して光ファイバーケーブルを接続した光コネクタプラグ同士を接続する際に、前記アダプタの一方の開口部に取り付ける遮光プレートにおいて、
前記遮光プレートを、少なくとも、水平板と当該水平板の一側端縁から垂下させた板状の遮光板から形成し、当該遮光プレートの前記水平板に貫通孔を穿ち、前記アダプタの一方の開口縁近くの上面に孔を穿ち、
前記遮光プレートの水平板を前記アダプタの一方の開口部の上部端縁上に係止して当該遮光プレートの遮光板をアダプタの開口部内に入れ、当該遮光プレートの貫通孔と前記アダプタ上面の孔の位置を合わせ、当該遮光プレート及びアダプタの孔に固定ピンを挿入して当該アダプタの開口部に前記遮光プレートを取り付ける構成としたことを特徴とする、遮光プレートのアダプタへの取り付け構造。
【請求項２】
前記固定ピンを、前記遮光プレートの貫通孔及びアダプタの孔に圧入して固定したことを特徴とする、前記請求項１に記載の遮光プレートのアダプタへの取り付け構造。
【請求項３】
前記固定ピンを１ｋｇｆ以上の力で圧入して固定する構成としたことを特徴とする、前記請求項２に記載の遮光プレートのアダプタへの取り付け構造。
【請求項４】
前記遮光プレートの貫通孔及びアダプタの孔を複数設け、複数の前記固定ピンによって前記アダプタの開口部に前記遮光プレートを取り付けたことを特徴とする、前記請求項１、２又は３の何れかに記載の遮光プレートのアダプタへの取り付け構造。
【請求項５】
前記遮光プレートの貫通孔及びアダプタの孔を横列に複数設けたことを特徴とする、前記請求項１、２、３又は４の何れかに記載の遮光プレートのアダプタへの取り付け構造。
【請求項６】
前記遮光プレートの貫通孔及びアダプタの孔を縦列に複数設けたことを特徴とする、前記請求項１、２、３又は４の何れかに記載の遮光プレートのアダプタへの取り付け構造。
【請求項７】
前記固定ピンの挿入部又は圧入部の長さは、前記遮光プレートの貫通孔及びアダプタの孔の長さの和と同等か又はやや短いことを特徴とした、前記請求項１、２、３、４、５又は６の何れかに記載の遮光プレートのアダプタへの取り付け構造。
【請求項８】
前記固定ピンの圧入部の外径は、前記遮光プレートの貫通孔及びアダプタの孔の内径と同等以上としたことを特徴とした、前記請求項２、３、４、５、６又は７の何れかに記載の遮光プレートのアダプタへの取り付け構造。
【考案の詳細な説明】
【技術分野】
【０００１】
この考案は、光ファイバーケーブルを接続した光コネクタプラグ同士を接続する際に使用する角筒状のアダプタの開口部に取り付けられる遮光プレートの取り付け構造に関するものである。
【背景技術】
【０００２】
情報通信技術の発達により、大容量で伝達速度も速い通信手段として、光ファイバーケーブルの布設が行われている。
【０００３】
この様な光ファイバーケーブルを接続した光コネクタプラグ同士の接続においては、内部にスリーブを設けた角筒状のアダプタを使用して行われている。すなわち、横長の角筒状のアダプタの一方の開口部から、接続する一方の光ファイバーケーブルのコネクタプラグを挿入して内部のスリーブに取り付け、その後にこのアダプタの他方の開口部から、他方の光ファイバーケーブルのコネクタプラグを挿入して内部のスリーブに取り付けて接続している。
【０００４】
この接続作業において、作業者が角筒状のアダプタの中を覗いて、先に取り付けられた光ファイバーケーブルの存在、又はスリーブへの取り付け具合を確認することがある。この光ファイバーケーブルからは、常時レーザー光が発せられており、裸眼で、この光ファイバーケーブルから発せられるレーザー光を見た場合、作業者の網膜に甚大な損傷を招くため、この様な状況を防ぐものとして、図１３に示すように、アダプタＢの、後から光ファイバーケーブルのコネクタプラグを取り付ける側の開口部６に遮光プレートＥを取り付けている。
【０００５】
これらの遮光プレートは、通常は金属製であり、アダプタは樹脂製である。この様な金属と樹脂の接合に当たっては、一般的には、ボルトとネジ等による機械的な接合手段が強固に接合できるため多く採用されているが、この様な小さなアダプタ（一例として、横長角筒状のアダプタの長さは約2.5cmである。）及び遮光プレートの場合、その大きさや夫々の構造等から判断して、これらの接合に、これらの機械的接合手段を使用することには限界があり、妥当ではない。
【０００６】
そのため、この様な遮光プレートのアダプタへの取り付けに際しては、アダプタの開口部に、遮光プレートの基部をバネによって係止したり、アダプタの中に圧入して組み込んだり、また、単に、接着剤を使用して取り付けたりしている。
【０００７】
この様にして、アダプタに取り付けられた遮光プレートは、光ファイバーケーブルを接続した光コネクタプラグ同士の接続の際、光ファイバーケーブルのコネクタプラグをアダプタ内に入れて内部のスリーブに接続するが、この光ファイバーケーブルのコネクタプラグをアダプタ内に入れると、当該コネクタプラグに押されて遮光プレートの下方へ垂下された板状の遮光板は、アダプタの中空上部内壁に押し付けられる。また、光ファイバーケーブルのコネクタプラグをアダプタから外すと、遮光プレートの遮光板は自体のバネの復元力で垂下し、再び、アダプタの中空部を遮る。この様に、遮光プレートの遮光板は光ファイバーケーブルのコネクタプラグの着脱毎に動くようになっている。
【特許文献１】実用新案登録第３０９５１６５号公報
【考案の開示】
【考案が解決しようとする課題】
【０００８】
しかしながら、この様に、アダプタの開口部に取り付けられた遮光プレートの遮光板は、光ファイバーケーブルのコネクタプラグが出し入れされると遮光板が前記コネクタプラグによって動かされ、これが頻繁に行われると、アダプタの開口部において遮光プレートの位置がずれたり、場合によっては、外れたりすることがある。
【０００９】
前述の通り、この遮光プレートは、作業者の目を保護するものであり、僅かでもずれたりすると目に甚大な被害を与えることがあり、この様な事態の招来は防がなければならない。
【００１０】
この考案は、この様な状況に鑑みて行われたもので、鋭意努力の結果、アダプタに長時間にわたって取り付けられ、光ファイバーケーブルのコネクタプラグの頻繁な出し入れによって、荷重がかかる遮光板を有する遮光プレートであっても、確実かつ強固に、アダプタの開口部に取り付けられ、多数回の光ファイバーケーブルのコネクタプラグの接触摩擦にも十分耐えられる、遮光プレートのアダプタへの取り付け構造を提供して前記課題を解決するものである。
【課題を解決するための手段】
【００１１】
請求項１の考案は、横長の角筒状のアダプタを使用して光ファイバーケーブルを接続した光コネクタプラグ同士を接続する際に、前記アダプタの一方の開口部に取り付ける遮光プレートにおいて、前記遮光プレートを、少なくとも、水平板と当該水平板の一側端縁から垂下させた板状の遮光板から形成し、当該遮光プレートの前記水平板に貫通孔を穿ち、前記アダプタの一方の開口縁近くの上面に孔を穿ち、前記遮光プレートの水平板を前記アダプタの一方の開口部の上部端縁上に係止して当該遮光プレートの遮光板をアダプタの開口部内に入れ、当該遮光プレートの貫通孔と前記アダプタ上面の孔の位置を合わせ、当該遮光プレート及びアダプタの孔に固定ピンを挿入して当該アダプタの開口部に前記遮光プレートを取り付ける構成とした遮光プレートのアダプタへの取り付け構造とした。
【００１２】
請求項２の考案は、前記固定ピンを、前記遮光プレートの貫通孔及びアダプタの孔に圧入して固定した前記請求項１に記載の遮光プレートのアダプタへの取り付け構造とした。また、請求項３の考案は、前記固定ピンを１ｋｇｆ以上の力で圧入して固定する構成とした前記請求項２に記載の遮光プレートのアダプタへの取り付け構造とした。
【００１３】
請求項４の考案は、前記遮光プレートの貫通孔及びアダプタの孔を複数設け、複数の前記固定ピンによって前記アダプタの開口部に前記遮光プレートを取り付けた前記請求項１、２又は３の何れかに記載の遮光プレートのアダプタへの取り付け構造とした。
【００１４】
請求項５の考案は、前記遮光プレートの貫通孔及びアダプタの孔を横列に複数設けた前記請求項１、２、３又は４の何れかに記載の遮光プレートのアダプタへの取り付け構造とした。また、請求項６の考案は、前記遮光プレートの貫通孔及びアダプタの孔を縦列に複数設けた前記請求項１、２、３又は４の何れかに記載の遮光プレートのアダプタへの取り付け構造とした。
【００１５】
請求項７の考案は、前記固定ピンの挿入部又は圧入部の長さは、前記遮光プレートの貫通孔及びアダプタの孔の長さの和と同等か又はやや短い前記請求項１、２、３、４、５又は６の何れかに記載の遮光プレートのアダプタへの取り付け構造とした。また、請求項８の考案は、前記固定ピンの圧入部の外径は、前記遮光プレートの貫通孔及びアダプタの孔の内径と同等以上とした前記請求項２、３、４、５、６又は７の何れかに記載の遮光プレートのアダプタへの取り付け構造とした。
【考案の効果】
【００１６】
請求項１、２、３、４、５、６、７及び８の各考案によれば、長期間にわたってアダプタの開口部に取り付けられ、光ファイバーケーブルのコネクタプラグの頻繁な出し入れによる動作を強いられる遮光板を有する遮光プレートであっても、長期間にわたって確実かつ強固に、アダプタに取り付けられるので、僅かでもずれたりすることがなく、まして外れたりすることがない。
【００１７】
よって、光ファイバーケーブルを接続するアダプタに使用する遮光プレートの取り付け構造として、極めて信頼性が高いものである。
【００１８】
請求項２の考案によれば、前記固定ピンを、前記遮光プレートの貫通孔及びアダプタの孔に圧入して固定したので、また、請求項３の考案によれば、前記固定ピンを１ｋｇｆ以上の力で圧入して固定する構成としたので、遮光プレートをアダプタの開口部に、長期間にわたって、より、確実かつ強固に取付けることが出来る。
【００１９】
請求項４、５及び６の各考案によれば、複数の貫通孔を複数の固定ピンを使用し、横列、縦列又は最適な位置で取り付けたので、遮光プレートをアダプタの開口部に、長期間にわたって、より、確実かつ強固に取付けることが出来る。
【００２０】
請求項７の考案によれば、前記固定ピンの挿入部又は圧入部の長さは、前記遮光プレートの貫通孔及びアダプタの孔の長さの和と同等か又はやや短いようにしたので、固定ピンの先端が、アダプタの内側に突出せず、遮光プレートの遮光板の開閉の邪魔とならず、また、接続された光ファイバーケーブルの伝えられる光量等の損失には何等影響を与えない。
【００２１】
請求項８の考案によれば、前記固定ピンの圧入部の外径を前記遮光プレートの貫通孔及びアダプタの孔の内径よりやや大きい外径とし、この状態で前記圧入部を各孔に圧入したので、遮光プレートをアダプタの開口部に、長期間にわたって、より、確実かつ強固に取付けることが出来る。
【考案を実施するための最良の形態】
【００２２】
横長の角筒状のアダプタを使用して光ファイバーケーブルを接続した光コネクタプラグ同士を接続する際に、前記アダプタの一方の開口部に取り付ける遮光プレートにおいて、前記遮光プレートを、少なくとも、水平板と当該水平板の一側端縁から垂下させた板状の遮光板から形成し、当該遮光プレートの前記水平板に貫通孔を穿ち、前記アダプタの一方の開口縁近くの上面に孔を穿ち、前記遮光プレートの水平板を前記アダプタの一方の開口部の上部端縁上に係止して当該遮光プレートの遮光板をアダプタの開口部内に入れ、当該遮光プレートの貫通孔と前記アダプタ上面の孔の位置を合わせ、当該遮光プレート及びアダプタの孔に固定ピンを挿入して当該アダプタの開口部に前記遮光プレートを取り付けた構成とした。
【００２３】
これにより、アダプタの開口部に取り付けられる遮光プレートを長期間にわたって確実かつ強固に取り付けることが出来る。
【実施例１】
【００２４】
以下、この考案の実施例を図に基づいて説明する。
図１は、この考案の実施例によって、遮光プレートをアダプタに取り付けた状態を示す一部正面断面図である。図２は、同平面図である。図３は、同側面図である。図４は、この考案の実施例の取り付け構造において使用する遮光プレートの正面図である。図５は、同側面図である。図６は、同平面図である。図７は、同底面図である。
【００２５】
最初に、この実施例において使用する遮光プレートＡを説明する。前記図４、５、６及び図７に示すように、ここで使用する遮光プレートＡは、薄い金属製のバネ性を有する１枚の板体（一例として、ステンレスSUS304、厚さ0.06mmの板体）から成るものであり、その構成は、略長方形状の板体から成る水平板１を設け、この水平板１の相対向する短辺のうちの一方の短辺の端縁から当該端縁に沿って縦長の長方形状からなる遮光板２を垂下させ、この遮光板２は一定長真っ直ぐに垂下した後は、後側に湾曲させて設けられている。前記水平板１には、内径1.6mmの貫通孔３を、縦列に、２個穿っている。
【００２６】
また、この遮光プレートＡを取り付けるアダプタＢとしては、前記図１、２及び図３に示すように、横長の角筒状であって、両端の開口部のうちの一方の開口部６の端縁近くの上面に、内径1.6mm、長さ0.9ｍｍの貫通孔４を、縦列に、２個穿っている。また、加工の際、当該アダプタＢの内側にバリが出来ないようにしておく。また、このアダプタＢの材質は、絶縁性のものであれば何でも良いが、ガラス繊維強化プラスチック、例えば、PBT（ポリブチレンテレフタレート）等が適している。
【００２７】
さらに、このアダプタＢの内側には前記角筒より短い円筒状のスリーブ５を配置している。このアダプタＢ内において、スリーブ５の両端の開口部端縁に光ファイバーケーブルのコネクタプラグを嵌合して取り付ける（図示省略）。
【００２８】
次に、遮光プレートＡをアダプタＢに取り付ける。
ここで、図８は、この考案の実施例において使用する固定ピンの拡大正面図である。図９は、同拡大平面図である。固定ピン７は（材質としては、前記遮光プレートと同様）、直径3mm、厚さ0.1mmの円板７ａと当該円板の中央部から真下に垂下された、外径1.6mm、長さ0.9mmの圧入部７ｂから成る。
【００２９】
遮光プレートＡの水平板１をアダプタＢの一方の開口部６の上部端縁上に係止して遮光プレートＡの遮光板２をアダプタＢの開口部６内に入れる。そして、この遮光プレートＡの貫通孔３と前記アダプタＢ上面の貫通孔４の位置を合わせる。当該遮光プレートＡ及びアダプタＢの合わせた各貫通孔３、４に、前記固定ピン７を夫々圧入して当該アダプタＢの開口部６に遮光プレートＡを取り付ける。
【００３０】
この時、固定ピン７の圧入部７ｂを貫通孔３、４に圧入する圧力としては、およそ１ｋｇｆ以上とする。これにより、遮光プレートＡをアダプタＢの開口部６に、長期間にわたって、確実かつ強固に取付けることが出来る。
【００３１】
前記いわゆるアダプタＢの他に、横長の角筒状のＳＣアダプタＣ（材質は前記アダプタＢと同様）に使用することも出来る。ここで、図１０は、この考案の実施例によって、他の遮光プレートＤをＳＣアダプタＣに取り付けた状態を示す一部正面断面図である。図１１は、同平面図である。図１２は、同側面図である。
【００３２】
これらの図に示すように、このＳＣアダプタＣの両端の開口部のうちの一方の開口部８の端縁近くの上面に、横列に、内径1.6mm、長さ0.9mmの貫通孔９を２個穿っておく（但し、図１０では一個のみを図示している。）。そして、遮光プレートＤとして、薄い金属製（材質及び厚さについては、前記遮光プレートＡと同様）、横長長方形状の水平板１０を有し、この水平板１０の一方の長辺の端縁から当該長辺の中央部一定長に沿って縦長の長方形状からなる遮光板１１を湾曲垂下させたものを使用する（前記実用新案登録第３０９５１６５号公報参照）。また、前記遮光板１１の両側の水平板１０の前記一方の長辺端縁から折り返して断面コ字型の係止片１０ａを設けている。水平板１０には、横列に、内径1.6mmの貫通孔１２を２個穿っておく。
【００３３】
このＳＣアダプタＣに遮光プレートＤを取り付ける場合も、前記アダプタＢに遮光プレートＡを取り付ける場合とほぼ同様である。遮光プレートＤの水平板１０をＳＣアダプタＣの開口部８の上部端縁上に係止して両側の係止片１０ａをＳＣアダプタＣの開口部８の端縁内側に嵌め、遮光プレートＤの遮光板１１をＳＣアダプタＣの開口部８内に入れる。そして、この遮光プレートＤの貫通孔１２と前記ＳＣアダプタＣ上面の貫通孔９の位置を合わせ、当該遮光プレートＤ及びＳＣアダプタＣの合わせた各貫通孔１２、９に、前記固定ピン７の圧入部７ｂを夫々圧入して当該ＳＣアダプタＣの開口部８に遮光プレートＤを取り付ける。これにより、遮光プレートＤをＳＣアダプタＣの開口部８に、長期間にわたって、確実かつ強固に取付けることが出来る。
【００３４】
また、前記固定ピン７の圧入部７ｂの長さを0.9mmとし、この固定ピン７の圧入部７ｂを圧入するアダプタＢ、Ｃに重ねた遮光プレートＡ、Ｄの夫々の貫通孔４、９、３、１２の長さの和を0.96ｍｍとして、固定ピン７の圧入部７ｂの先端をアダプタＢ、Ｃの内側に突出させない構成としているので、遮光板の開閉や接続された光ファイバーケーブルの送られる光量等の損失には影響を与えるものではない。
【００３５】
さらに、前記固定ピン７の圧入部７ｂの外径を1.6mm、前記遮光プレートＡ、Ｄの貫通孔３、１２、及びアダプタＢ、Ｃの貫通孔４、９の各内径を夫々1.6mmとして、これらの径を同等以上とし、当該圧入部７ｂを各貫通孔３、１２、４、９に圧入するので、遮光プレートＡ、ＤをアダプタＢ、Ｃの各開口部６、８に、長期間にわたって、より、確実かつ強固に取付けることが出来る。
【００３６】
前記実施例では、材質や寸法等を具体的に記載した二種類の遮光プレートＡ、Ｄ及びアダプタＢ、Ｃを使用して取り付けているが、この考案の遮光プレートの取り付け構造としては、これらの遮光プレートＡ、Ｄ及びアダプタＢ、Ｃに限るものではなく、この考案が実施出来る遮光プレート及びアダプタであれば、他の型式のものでももちろん良い。
【００３７】
また、遮光プレートＡ、Ｄの貫通孔３、１２、及びアダプタＢ、Ｃの貫通孔４、９を相互に対応させて形成し、遮光プレートＡ、Ｄを取り付けているが、遮光プレートＡ、Ｄの水平板１、１０に穿つ貫通孔３、１２、及びアダプタＢ、Ｃの開口部６、８近くの上面の貫通孔４、９の数及び配置は、これらのものに限らず、最適な数及び配置とすればよい。さらに、固定ピン７として、円板７ａと圧入部７ｂから成り、材質や寸法等を具体的に記載したものを使用しているが、遮光プレートＡ、ＤをアダプタＢ、Ｃの開口部６、８の端縁に取り付けられるものであるならば、他の形状、材質、寸法等のものでももちろん良い。
【００３８】
また、アダプタＢ、Ｃの開口部６、８の端縁近くの上面に貫通孔４、９を穿ち、遮光プレートＡ、Ｄの貫通孔３、１２と位置を合わせ、固定ピン７を圧入しているが、固定ピン７を圧入するアダプタＢ、Ｃの孔としては、必ずしも貫通したものでなくてもよく、アダプタＢ、Ｃに遮光プレートＡ、Ｄを確実かつ強固に固定できるものなら良い。
【００３９】
さらに、前記実施例では、固定ピン７を遮光プレートＡ、Ｄの貫通孔３、１２、及びアダプタＢ、Ｃの貫通孔４、９に圧入して、遮光プレートＡ、ＤをアダプタＢ、Ｃに取り付けているが、固定方法は、必ずしも圧入に限るものではなく、固定ピン７の挿入部を貫通孔３、１２、及び貫通孔４、９に、挿入した後、接着剤等を使用して固定しても良い。
【００４０】
また、前記実施例では、横長の角筒状のアダプタＢ、Ｃを水平な状態で使用しているが、状況によっては、縦方向や斜行した状態で使用することもある。
【図面の簡単な説明】
【００４１】
【図１】この考案の実施例によって、遮光プレートをアダプタに取り付けた状態を示す一部正面断面図である。
【図２】この考案の実施例によって、遮光プレートをアダプタに取り付けた状態を示す平面図である。
【図３】この考案の実施例によって、遮光プレートをアダプタに取り付けた状態を示す側面図である。
【図４】この考案の実施例に使用する遮光プレートの正面図である。
【図５】この考案の実施例に使用する遮光プレートの側面図である。
【図６】この考案の実施例に使用する遮光プレートの平面図である。
【図７】この考案の実施例に使用する遮光プレートの底面図である。
【図８】この考案の実施例に使用する固定ピンの拡大正面図である。
【図９】この考案の実施例に使用する固定ピンの拡大平面図である。
【図１０】この考案の実施例によって、他の遮光プレートをＳＣアダプタに取り付けた状態を示す一部断面図である。
【図１１】この考案の実施例によって、他の遮光プレートをＳＣアダプタに取り付けた状態を示す平面図である。
【図１２】この考案の実施例によって、他の遮光プレートをＳＣアダプタに取り付けた状態を示す側面図である。
【図１３】従来の取り付け構造によって、遮光プレートをアダプタに取り付けた状態を示す断面図である。
【符号の説明】
【００４２】
Ａ    遮光プレート                  Ｂ    アダプタ
Ｃ    ＳＣアダプタ                  Ｄ    遮光プレート
１    水平板                        ２    遮光板
３    貫通孔                        ４    貫通孔
５    スリーブ                      ６    開口部
７    固定ピン                      ８    開口部
９    貫通孔                      １０    水平板
１１    遮光板                      １２    貫通孔
【図１】
0003134815.tif 000003
【図２】
0003134815.tif 000004
【図３】
0003134815.tif 000005
【図４】
0003134815.tif 000006
【図５】
0003134815.tif 000007
【図６】
0003134815.tif 000008
【図７】
0003134815.tif 000009
【図８】
0003134815.tif 000010
【図９】
0003134815.tif 000011
【図１０】
0003134815.tif 000012
【図１１】
0003134815.tif 000013
【図１２】
0003134815.tif 000014
【図１３】
0003134815.tif 000015